(57)【要約】 【課題】  拡張幅が大きい場合であっても、既存建物の耐震性に影響を及ぼさず、なおかつ合理的な費用で増床ができるようにする。【解決手段】本発明に係る増床ユニット１は、矩形状の増設床部８と、該増設床部の屋外側周縁のうち、側方の周縁に立設された一対の張出壁部材９ａ，９ａ、及び正面の周縁に立設された張出壁部材９ｂとからなる張出壁部とで構成してあり、該張出壁部は、全体としてコの字状の水平断面をなす。ここで、張出壁部材９ａは、水平に組まれた軸組６ａの屋外側側面に構造用合板１０を、室内側側面に構造用合板１１をそれぞれ貼り付けて構成してあるとともに、張出壁部材９ｂは、三段に組まれた軸組６ｂの屋外側側面に構造用合板１０を、室内側側面に構造用合板１１をそれぞれ貼り付けて構成してある。また、増設床部８は、梯子状に組まれた軸組７の上面に構造用合板１２を貼り付けて構成してある。【選択図】  図１
2010037739.tif 000002
【特許請求の範囲】
【請求項１】
増設床部及び該増設床部の屋外側周縁に立設された無開口の張出壁部からなるとともに、前記張出壁部を構造用合板を用いて構成したことを特徴とする増床ユニット。
【請求項２】
前記構造用合板を軸組の少なくとも一方の側に貼り付けることで前記張出壁部を構成した請求項１記載の増床ユニット。
【請求項３】
請求項１又は請求項２記載の増床ユニットを、一対の補剛柱及びそれらの頂部に架け渡された補剛梁からなる門型フレームを介して建物躯体に取り付ける増床ユニットの取付け構造であって、前記張出壁部の建物側縁部を前記一対の補剛柱にそれぞれ接合するとともに、前記建物躯体を構成する一対の柱及びそれらの頂部に架け渡された梁を含む構面内に前記門型フレームを配置し、前記各補剛柱の外側側面と前記各柱の内側側面とを接着するとともに、前記補剛梁の上面と前記梁の下面とを接着したことを特徴とする増床ユニットの取付け構造。
【請求項４】
前記柱と前記梁との接合部及び前記補剛柱と前記補剛梁との接合部にそれらの接合部が両側方から挟み込まれるようにして一対の構造用合板を接着した請求項３記載の取付け構造。
【発明の詳細な説明】
【技術分野】
【０００１】
本発明は、主として既存建物の増床を行う際に適用される増床ユニット及びその取付け構造に関する。
【背景技術】
【０００２】
住宅においては、リビング、ダイニング、書斎、寝室といった居室はもちろんのこと、バスルーム等についても、増床によって居住空間を拡大し、快適性を高めたいというニーズが高く、床面積を拡張するための増床工事がリフォームの一環として行われることが少なくない。
【０００３】
このような増床工事は、従来、二階居室であれば、建物躯体に張出梁を設けて該張出梁に増床部分を支持させ、一階居室であれば、増設した基礎に増床部分を支持させることで対応していた。
【０００４】
【特許文献１】特開２０００−３３７０３１号公報
【特許文献２】特開２００１−３２９６３６号公報
【発明の開示】
【発明が解決しようとする課題】
【０００５】
しかしながら、張出梁を設けるには、建物の外壁のみならず、二階床板や一階天井を適宜撤去して既存の柱梁を露出させた上、補強を施しながら該柱梁に張出梁を連結しなければならず、経済的な合理性の観点で本来的に設置が難しいという問題を生じていた。
【０００６】
一方、昨今のリフォーム工事では、増床スペースの拡張幅が大きくなる傾向にあるため、張出梁の荷重負担がますます厳しくなり、上述した問題はさらに深刻となる。
【０００７】
また、一階においても、増床部分の荷重を支持するための基礎工事に費用がかさみ、結局は増床工事の断念を余儀なくされていた。
【０００８】
加えて、増床工事のために既存の壁を取り除いた部分は、必然的に開口部となって耐力壁を配置できなくなり、結果として建物全体に耐力壁をバランスよく配置することができないという問題も生じていた。
【課題を解決するための手段】
【０００９】
本発明は、上述した事情を考慮してなされたもので、拡張幅が大きい場合であっても、既存建物の耐震性に影響を及ぼさず、なおかつ合理的な費用で増床が可能な増床ユニット及びその取付け構造を提供することを目的とする。
【００１０】
上記目的を達成するため、本発明に係る増床ユニットは請求項１に記載したように、増設床部及び該増設床部の屋外側周縁に立設された無開口の張出壁部からなるとともに、前記張出壁部を構造用合板を用いて構成したものである。
【００１１】
また、本発明に係る増床ユニットは、前記構造用合板を軸組の少なくとも一方の側に貼り付けることで前記張出壁部を構成したものである。
【００１２】
また、本発明に係る増床ユニットの取付け構造は請求項３に記載したように、請求項１又は請求項２記載の増床ユニットを、一対の補剛柱及びそれらの頂部に架け渡された補剛梁からなる門型フレームを介して建物躯体に取り付ける増床ユニットの取付け構造であって、前記張出壁部の建物側縁部を前記一対の補剛柱にそれぞれ接合するとともに、前記建物躯体を構成する一対の柱及びそれらの頂部に架け渡された梁を含む構面内に前記門型フレームを配置し、前記各補剛柱の外側側面と前記各柱の内側側面とを接着するとともに、前記補剛梁の上面と前記梁の下面とを接着したものである。
【００１３】
また、本発明に係る増床ユニットの取付け構造は、前記柱と前記梁との接合部及び前記補剛柱と前記補剛梁との接合部にそれらの接合部が両側方から挟み込まれるようにして一対の構造用合板を接着したものである。
【００１４】
本発明に係る増床ユニット及びその取付け構造においては、増設床部及び該増設床部の屋外側周縁に立設された無開口の張出壁部からなり、張出壁部は、構造用合板を用いて構成してある。
【００１５】
構造用合板は、「合板のうち、建築物の構造耐力上主要な部分に使用するもの」として、日本農林規格（ＪＡＳ）で定められている通り、一般的には耐力壁を用途とするものであって、大きなせん断剛性とせん断耐力を有する。
【００１６】
そのため、増設床部に鉛直荷重（死荷重＋活荷重）が作用すると、構造用合板はせん断力で抵抗し、上記鉛直荷重は、構造用合板を介して建物躯体に確実に伝達される。
【００１７】
建物躯体に対する増床ユニットの突出形状は任意である。例えば、２枚の張出壁部材を縁部同士で突き合わせて張出壁部を構成することにより、建物躯体から三角形状に突出させる、３枚の張出壁部材をコの字状に接合して張出壁部を構成することにより、建物躯体から矩形状に突出させる、多数の張出壁部材を折れ曲がり状に接合して張出壁部を構成することにより、建物躯体から多角形状に突出させる、湾曲状の張出壁部材で張出壁部を構成することにより、建物躯体から円弧状に突出させる等の形態が考えられる。
【００１８】
張出壁部の構成は、構造用合板を用いて構成する限り任意であって、例えば、２４〜３５ｍｍ程度の厚物の構造用合板を単独で、あるいはそれらを直接貼り合わせて構成することも可能であるが、軸組の少なくとも一方の側に構造用合板を貼り付けることで張出壁部を構成することも可能である。
【００１９】
このような増床ユニットを建物躯体に取り付ける方法は任意であるが、一対の補剛柱及びそれらの頂部に架け渡された補剛梁からなる門型フレームの補剛柱に張出壁部の建物側縁部を接合し、かかる門型フレームを介して建物躯体に取り付けるようにしたならば、増床ユニットの荷重を門型フレームを介して建物躯体に確実に伝達させることが可能となる。
【００２０】
門型フレームを建物躯体に取り付けるには、建物躯体を構成する一対の柱及びそれらの頂部に架け渡された梁を含む構面内に門型フレームを配置し、各補剛柱の外側側面と各柱の内側側面とを接着するとともに、補剛梁の上面と梁の下面とを接着する。
【００２１】
このようにすると、増床ユニットは、門型フレームを介して建物躯体に強固に固定されることとなり、かくして、張出梁を設けなくても二階への取付けが可能になるとともに、一階への取付けの際に基礎を増設する必要もなくなる。
【００２２】
加えて、門型フレームは、接着によって建物躯体を構成する柱梁に強固に接合され、二重柱及び二重梁からなるフレーム構成となるため、建物躯体に作用する水平地震力に対して耐力壁と同等の機能を発揮し、かくして、増床工事のために既存の壁を取り除いたとしても、既存壁と同等又はそれ以上の耐震性を建物に付与することとなる。
【００２３】
ここで、柱と梁との接合部及び補剛柱と補剛梁との接合部にそれらの接合部が両側方から挟み込まれるようにして一対の構造用合板を接着したならば、門型フレームは、半剛接フレームあるいは剛接フレームに近い構造となって水平方向の剛性及び強度がさらに増加し、建物の耐震性が飛躍的に向上する。
【発明を実施するための最良の形態】
【００２４】
以下、本発明に係る増床ユニット及びその取付け構造の実施の形態について、添付図面を参照して説明する。なお、従来技術と実質的に同一の部品等については同一の符号を付してその説明を省略する。
【００２５】
（第１実施形態）
【００２６】
図１は、本実施形態に係る増床ユニットを示した図であり、(a)は正面図、(b)はＡ−Ａ線方向から見た底面図（見上げ図）、(c)はＢ−Ｂ線方向から見た側面図である。これらの図でわかるように、本実施形態に係る増床ユニット１は、矩形状の増設床部８と、該増設床部の屋外側周縁のうち、側方の周縁に立設された一対の張出壁部材９ａ，９ａ及び正面の周縁に立設された張出壁部材９ｂとからなる無開口の張出壁部と、該張出壁部の上縁が下面である天井面に連結され増設床部８の上方に対向配置された庇部１３とで構成してあり、該張出壁部は、全体としてコの字状の水平断面をなす。
【００２７】
張出壁部材９ａは、水平に組まれた軸組６ａの屋外側側面に構造用合板１０を、室内側側面に構造用合板１１をそれぞれ貼り付けて構成してあるとともに、張出壁部材９ｂは、三段に組まれた軸組６ｂの屋外側側面に構造用合板１０を、室内側側面に構造用合板１１をそれぞれ貼り付けて構成してある。また、増設床部８は、梯子状に組まれた軸組７の上面に構造用合板１２を貼り付けて構成してある。
【００２８】
構造用合板１０〜１２は、「合板のうち、建築物の構造耐力上主要な部分に使用するもの」として、日本農林規格（ＪＡＳ）で定められているものから適宜選択し、例えば厚みが１２．５ｍｍの合板を使用するのがよい。
【００２９】
増床ユニット１を建物躯体に取り付ける際には、公知の取付け方法を選択することが可能である。例えば、建物躯体が軸組である場合には、張出壁部材９ａ，９ａの建物側縁部を建物躯体の柱に固定すればよい。
【００３０】
本実施形態に係る増床ユニット１で増床された領域の用途は任意であるが、上述したように張出壁部が非開口となっていて窓が形成されていないため、例えば壁面収納システムや大型冷蔵庫等を含む厨房設備を設置するのに適している。
【００３１】
以上説明したように、本実施形態に係る増床ユニット１によれば、増設床部８の屋外側周縁に全体断面がコの字状をなす張出壁部材９ａ，９ａ及び張出壁部材９ｂを立設するとともに、張出壁部材９ａを、軸組６ａの屋外側側面と室内側側面に構造用合板１０，１１をそれぞれ貼り付けて構成したので、構造用合板１０，１１の高い面内剛性によって屋外側への倒れが生じることなく、該構造用合板を介して建物躯体に確実に支持される。
【００３２】
そのため、張出梁を設けずとも、増床ユニット１を建物の二階に設置することが可能になるとともに、建物の一階に設置する場合においては、基礎を増設する必要がなくなる。
【００３３】
本実施形態では、厚さ１２．５ｍｍの構造用合板を軸組の両面に貼り付けた例を説明したが、本発明に係る張出壁部は、かかる構成に限定されるものではなく、例えば、２４〜３５ｍｍ程度の構造用合板を単独で、あるいはそれらを直接貼り合わせて張出壁部を構成することも可能である。
【００３４】
また、本実施形態では、建物側から屋外側に向けて水勾配が付けられた庇部１３を増設床部８の上方に配置することで、雨仕舞いを考慮しつつ、増設床部８の天井を確保するようにしたが、増設床部８の天井をどのように構成するかは任意であり、例えば庇部１３に代えて、フラットな庇部を採用することが可能である。
【００３５】
（第２実施形態）
【００３６】
次に、第２実施形態について説明する。なお、上述の実施形態と実質的に同一の部品等については同一の符号を付してその説明を省略する。
【００３７】
図２は、本実施形態に係る増床ユニットの取付け構造２１を示した正面図、図３は、図２のＣ−Ｃ線方向から見た底面図（見上げ図）、図４は、図２のＤ−Ｄ線に沿う鉛直断面図である。
【００３８】
これらの図でわかるように、本実施形態に係る増床ユニットの取付け構造２１は、増床ユニット１を、一対の補剛柱２３，２３及びそれらの頂部に架け渡された補剛梁２４からなる門型フレーム２２を介して建物躯体に取り付けてなる。
【００３９】
すなわち、増床ユニットの取付け構造２１は、増床ユニット１の張出壁部材９ａの建物側縁部を、門型フレーム２２を構成する一対の補剛柱２３，２３にそれぞれ接合するとともに、建物躯体を構成する一対の柱２５，２５及びそれらの頂部に架け渡された梁２６を含む構面内に門型フレーム２２を配置し、補剛柱２３，２３の外側側面と柱２５，２５の内側側面とをそれぞれ接着するとともに、補剛梁２４の上面と梁２６の下面とを接着してなる。
【００４０】
ここで、柱２５と梁２６との接合部及び補剛柱２３と補剛梁２４との接合部には、それらの接合部が両側方から挟み込まれるようにして一対の構造用合板２８，２８を接着してある。
【００４１】
上述した増床ユニットの取付け構造２１を施工するには、まず、建物躯体の柱位置や梁位置を考慮して増床ユニット１及び門型フレーム２２を製作する。
【００４２】
すなわち、柱２５，２５の内法寸法はＷとなり、柱２５が立設されている梁２７の上面から梁２６の下面までの内法寸法はＨとなるので、門型フレーム２２もこれに合わせて、幅Ｗで高さＨとなるように製作する。
【００４３】
次に、柱２５，２５及び梁２６，２７で囲まれた既存の壁を解体撤去する。
【００４４】
次に、既存壁を撤去した結果として生じた開口部に門型フレーム２２を配置し、補剛柱２３，２３の外側側面と柱２５，２５の内側側面とをそれぞれ接着するとともに、補剛梁２４の上面と梁２６の下面とを接着する。
【００４５】
門型フレーム２２への増床ユニット１の取付けは、建物躯体に門型フレーム２２を取り付ける前に行ってもよいし、取付け後に行ってもよい。また、場合によっては、両者を同時進行で行ってもかまわない。
【００４６】
最後に、柱２５と梁２６との接合部及び補剛柱２３と補剛梁２４との接合部に一対の構造用合板２８，２８を接着し、該接合部を構造用合板２８，２８で挟み込む。
【００４７】
なお、増設床部８は、図４に示すように既存床４１、例えば二階床の拡張領域となるため、既存床４１と同じ仕上げ材で仕上げ工事を行うことが考えられる。
【００４８】
以上説明したように、本実施形態に係る増床ユニットの取付け構造２１によれば、増床ユニット１は、門型フレーム２２を介して建物躯体に強固に固定されるとともに、門型フレーム２２と建物躯体の柱２５及び梁２６とが全体として二重柱及び二重梁からなるフレームを構成する。
【００４９】
そのため、増床ユニット１を取り付けた箇所の剛性が大幅に向上し、張出梁を用いずとも二階の増床が可能になるとともに、一階を増床する場合においても基礎を増設する必要がなくなる。
【００５０】
加えて、門型フレーム２２は、接着によって建物躯体を構成する柱２５，２５及び梁２６に強固に接合されるため、建物躯体の柱２５及び梁２６と合わせて、二重柱及び二重梁からなるフレームを構成する。
【００５１】
そのため、門型フレーム２２は、建物躯体に作用する水平地震力に対して耐力壁と同等の機能を発揮し、かくして、増床工事のために既存の壁を取り除いた部分が必然的に開口部となったとしても、既存壁と同等又はそれ以上の耐震性を建物に与えることが可能となる。
【００５２】
また、本実施形態に係る増床ユニットの取付け構造２１によれば、柱２５と梁２６との接合部及び補剛柱２３と補剛梁２４との接合部に一対の構造用合板２８，２８を接着し、該接合部を構造用合板２８，２８で挟み込むようにしたので、門型フレーム２２は、半剛接フレームあるいは剛接フレームに近い構造となって水平方向の剛性及び強度がさらに増加し、建物の耐震性を大幅に向上させることが可能となる。
【００５３】
本実施形態では、柱２５と梁２６との接合部及び補剛柱２３と補剛梁２４との接合部に一対の構造用合板２８，２８を接着するようにしたが、水平方向のせん断剛性を十分に確保できるのであれば、構造用合板２８，２８を省略してもかまわない。
【図面の簡単な説明】
【００５４】
【図１】本実施形態に係る増床ユニットを示した図であり、(a)は正面図、(b)はＡ−Ａ線方向から見た底面図（見上げ図）、(c)はＢ−Ｂ線方向から見た側面図。
【図２】本実施形態に係る増床ユニットの取付け構造２１を示した正面図。
【図３】図２のＣ−Ｃ線方向から見た底面図（見上げ図）。
【図４】図２のＤ−Ｄ線に沿う鉛直断面図。
【符号の説明】
【００５５】
１                            増床ユニット
６ａ，６ｂ，７                軸組
８                            増設床部
９ａ，９ｂ                    張出壁部材（張出壁部）
１０，１１，１２              構造用合板
２２                          門型フレーム
２３                          補剛柱
２４                          補剛梁
２５                          柱
２６，２７                    梁
２８                          構造用合板
【図１】
2010037739.tif 000003
【図２】
2010037739.tif 000004
【図３】
2010037739.tif 000005
【図４】
2010037739.tif 000006